(57)【要約】【課題】店頭で陳列する際に、上側に重ねて積み重ねることができる包装用袋を提供する。【解決手段】包装用袋１０を、周壁部２０と、周壁部２０の下端に連接される底部３０と、周壁部２０の上端から上方に延設されて、折り畳んだ状態の幅が上方に向かって次第に狭小となる肩部４０と、肩部４０の上端側に設けられて折り畳んだ状態の幅が周壁部より狭小となる開口部５０と、開口部５０に配設され開口部５０を開閉可能とするファスナー６０と、開口部５０から上方に向かって延設される把持部７０と、を有する構成とする。【選択図】図１
2014069808.tif 000002
【特許請求の範囲】
【請求項１】
折り畳んだ状態において平坦となり、収納物を収納する状態において収納物を収納する略箱状の収納部を有する立体形状となり、自立可能に形成される包装用袋であって、
周壁部と、前記周壁部の下端に連接される底部と、前記周壁部の上端から上方に延設されて、折り畳んだ状態の幅が上方に向かって次第に狭小となる肩部と、前記肩部の上端側に設けられて折り畳んだ状態の幅が前記周壁部より狭小となる開口部と、を有し、
前記開口部を開閉可能とするファスナーが、前記開口部に配設され、
前記底部がガゼット形状に前記周壁部の内側に折り曲げられて形成され、
前記底部の左右の側端部は、それぞれ、前記周壁部に接着され、
前記周壁部の左右の側端部において、前記底部と接着されていない部分は、前記周壁部の前側部と後側部とが接着され、
前記肩部の左右の側端部において、前記肩部の前側部と後側部とが接着されていないことを特徴とする包装用袋。
【請求項２】
前記底部は、折り畳んだ状態で前記周壁部と同幅の矩形状に形成され、
立体形状となった状態において、
前記底部の前記収納部の底壁及び左右の側壁として形成される部分以外の部分が、前記周壁部と重ね合わされることにより、前記包装用袋の左右の側端部ごとに一対形成される三角形状の余りしろ部と、
前記底部の前記収納部の左右の側壁を形成する部分と、
で三角錐状の支柱部が形成されることを特徴とする請求項１記載の包装用袋。
【請求項３】
前記ファスナーが、咬合型のものが用いられ、
他の包装用袋を載置する際に、咬合された前記ファスナーが前記支柱部の上端部間に架け渡されることを特徴とする請求項２記載の包装用袋。
【請求項４】
前記開口部から上方に向かって把持部が延設され、前記把持部の左右の側端部及び上端部は接着されていないことを特徴とする請求項１、２又は３記載の包装用袋。
【発明の詳細な説明】
【技術分野】
【０００１】
本発明は、食品等を店頭に陳列する際に使用する包装用袋に関する。
【背景技術】
【０００２】
粉・粒状体の包装袋として、特許文献１に記載されるものがある。これによれば、粉・粒状体の包装袋は、折り畳んだ状態では平坦で、胴の上部に開口部があり、その開口部にチャックを備え、中身を入れることによって立体形状となった時に、袋が自立できるように底にのみガゼットを形成させる包装袋であった。胴が底に連接され、開口部側にいくに従って絞られて細くなり開口部となり、開口部の横幅ａは、底の角型底部の横幅を（ｂ−２ｃ）とすると、ａ＝Ｋ（ｂ−２Ｃ）（ただし、Ｋ＝０．８〜２．０）とされていた。
【先行技術文献】
【特許文献】
【０００３】
【特許文献１】特開２００７−２２３６７７号公報
【発明の概要】
【発明が解決しようとする課題】
【０００４】
しかし、上記の粉・粒状体の包装袋では、開封時の粉の飛び出しを防止するため、粉・粒状体を充填した際に、充填した粉・粒状体の上面と胴とで囲まれる上部空間を確保して密封しているため、包装袋の上部が傾斜するとともに、充填された空気により胴部分が変形しづらいので、店頭で陳列する際に、上側に重ねて陳列することができないといった問題があった。
【０００５】
本発明は、店頭で陳列する際に、上側に重ねて積み重ねることができる包装用袋を提供するものである。
【課題を解決するための手段】
【０００６】
請求項１記載の発明では、折り畳んだ状態において平坦となり、収納物を収納する状態において収納物を収納する略箱状の収納部を有する立体形状となり、自立可能に形成される包装用袋であって、周壁部と、周壁部の下端に連接される底部と、周壁部の上端から上方に延設されて、折り畳んだ状態の幅が上方に向かって次第に狭小となる肩部と、肩部の上端側に設けられて折り畳んだ状態の幅が周壁部より狭小となる開口部と、を有し、開口部を開閉可能とするファスナーが、開口部に配設され、底部がガゼット形状に周壁部の内側に折り曲げられて形成され、底部の左右の側端部は、それぞれ、周壁部に接着され、周壁部の左右の側端部において、底部と接着されていない部分は、周壁部の前側部と後側部とが接着され、肩部の左右の側端部において、肩部の前側部と後側部とが接着されていない構成としている。
【０００７】
これによれば、前側部と後側部とが接着されていない肩部は、通気孔として機能し、折り畳んだ状態から立体形状にして、収納物を収納してファスナーを閉じた後に、空気を排出させて周壁部及び肩部が変形しやすくなるので、収納部を箱状に形成することが容易にできる。よって、店頭で陳列する際に、上側に重ねて積み重ねることができる。
【０００８】
さらに、開口部の幅を、周壁部の幅より狭小に形成することにともない、開口部を開閉させるファスナーの長さも短くなり、ファスナーどうしが干渉することを抑制して、平置き時に包装用袋を陳列しやすくすることができる。
【０００９】
また、底部は、折り畳んだ状態で周壁部と同幅の矩形状に形成され、立体形状となった状態において、底部の収納部の底壁及び左右の側壁として形成される部分以外の部分が、周壁部と重ね合わされることにより、包装用袋の左右の側端部ごとに一対形成される三角形状の余りしろ部と、底部の収納部の左右の側壁を形成する部分と、で三角錐状の支柱部が形成される。
【００１０】
これにより、三角錐状の支柱部の上端部で、他の包装用袋が載せられたときにかかる上下方向の力を受け止めることが可能となるので、重量のある収納物を収納した他の包装用袋を載置することが可能となる。また、支柱部がフレームとして機能するので収納部の形態を安定させることができる。
【００１１】
また、ファスナーが、咬合型のものが用いられ、他の包装用袋を載置する際に、咬合されたファスナーが支柱部の上端部間に架け渡される構成とすれば、咬み合わされることで断面面積が大きくなり、剛性が高められた咬合型ファスナーを、支柱部の上端部間に架け渡すことで、他の包装用袋が載置される際にかかる力を分散させ、陳列状態を安定させることができる。
【００１２】
また、開口部から上方に向かって把持部が延設され、把持部の左右の側端部及び上端部は接着されていない構成とすれば、把持部を手で持ってファスナーを開くことが可能となるとともに、把持部が広く開くので、開口部の開き動作をしやすくすることができる。
【図面の簡単な説明】
【００１３】
【図１】本発明における一実施形態の包装用袋の正面図である。
【図２】同実施形態の包装用袋の平面図である。
【図３】同実施形態の包装用袋の底面図である。
【図４】同実施形態の包装用袋の右側面図である。
【図５】図１におけるＶ−Ｖ間断面図である。
【図６】収納物を収納した状態の正面図である。
【図７】収納物を収納した状態の平面図である。
【図８】収納物を収納した状態の右側面図である。
【図９】収納物を収納した状態の斜視図である。
【図１０】収納部を箱状に形成した状態の正面図である。
【図１１】収納部を箱状に形成した状態の平面図である。
【図１２】収納部を箱状に形成した状態の右側面図である。
【図１３】収納部を箱状に形成した状態の斜視図である。
【図１４】包装用袋を積み重ねた状態の斜視図である。
【図１５】同実施形態の包装用袋の変形例の正面図である。
【図１６】同変形例の背面図である。
【図１７】同変形例の平面図である。
【図１８】同変形例の底面図である。
【図１９】同変形例の右側面図である。
【図２０】図１５のＡ−Ａ線断面図である。
【図２１】同変形例の使用状態を示す参考図である。
【図２２】同変形例の使用状態を示す参考図であり、２つを積み重ねた状態を示す図である。
【発明を実施するための形態】
【００１４】
本発明における包装用袋の一実施形態を図面に基づいて説明する。以下の説明において、図１紙面における上下を上下方向、図１紙面における左方向を左、右方向を右とし、図１紙面における手前側を前、奥側を後方向とする。
【００１５】
包装用袋１０は、概略的には、折り畳んだ状態において平坦となり、収納物Ｐを収納する状態において収納物Ｐを収納する略箱状の収納部８０を有する立体形状となり、自立可能に形成され、上側に積み重ね可能とするものである。
【００１６】
包装用袋１０は、図１〜５に示すように、周壁部２０と、周壁部２０の下端に連接される底部３０と、周壁部２０の上端から上方に延設されて、折り畳んだ状態の幅が上方に向かって次第に狭小となる肩部４０と、肩部４０の上端側に設けられて折り畳んだ状態の幅Ｗ１が周壁部２０の幅Ｗ２より狭小となる開口部５０と、開口部５０に配設され開口部５０を開閉可能とするファスナー６０と、開口部５０から上方に向かって延設される把持部７０と、を有している。
【００１７】
包装用袋１０は、無色透明で可撓性を有する合成樹脂フィルムＦで形成され、底部３０と周壁部２０との境界部分に谷折り線１１が形成され、谷折り線１１の間に山折り線１２が形成されている。一枚の合成樹脂フィルムＦを、谷折り線１１及び山折り線１２に沿って折り曲げて重ね合わせ、合成樹脂フィルムＦの左右の側端部を接着（シール）して袋体に形成されている。包装用袋１０の底部３０以外の、前側となる部分が前側部１０ａとされ、後側となる部分が後側部１０ｂとされている。
【００１８】
底部３０は、合成樹脂フィルムＦの谷折り線１１で挟まれた部分で構成され、折り畳んだ状態で、周壁部２０と同幅の矩形状に形成され、谷折り線１１及び山折り線１２に沿って、ガゼット形状に周壁部２０の内側に折り曲げられている。
【００１９】
底部３０の左右の側端部３０ａ、３０ｂは、それぞれ、周壁部２０の左右の側端部２０ａ、２０ｂに接着されている。なお、「接着」とは、熱溶着を含むものとする。さらに、折り曲げられて対向する底部３０の左右それぞれの側端部３０ａ、３０ｂどうしも接着されている。換言すれば、重なり合う底部３０の左の側端部３０ａと周壁部２０の左の側端部２０ａとが接着され、重なり合う底部３０の右の側端部３０ｂと周壁部２０の右の側端部２０ｂとが接着されて一体化されている。
【００２０】
周壁部２０は、左右の側端部２０ａ、２０ｂにおいて、底部３０と接着されていない部分は、周壁部２０における前側部１０ａと後側部１０ｂとが接着されている。
【００２１】
肩部４０の左右の側端部４０ａ、４０ｂにおいては、肩部４０における前側部１０ａと後側部１０ｂとが接着されていない。
【００２２】
ファスナー６０は、開口部５０に、配設され、本実施形態では、一対の凹部と凸部とを有した合成樹脂製の咬合型ファスナーが用いられ、開口部５０の幅Ｗ１と略同一の長さに形成され、開口部５０における前側部１０ａと後側部１０ｂの内面にそれぞれ接着されている。
【００２３】
把持部７０は、矩形状に形成され、開口部５０から上方に延設され、把持部７０の左右の側端部７０ａ、７０ｂ及び上端部７０ｃは接着されていない。
【００２４】
包装用袋１０は、立体形状となった状態において上側に重ねて積み重ねて使用する際には、図１０〜１４に示すように、開口部５０より下側の周壁部２０、底部３０、肩部４０が折り曲げられて、略箱状の収納部８０として形成されている。
【００２５】
収納部８０は、底壁８０ａ、一対の側壁８０ｂ、一対の前後壁８０ｃ、上壁８０ｄを有し、左右の側端部には、支柱部１００がそれぞれ配設されている。
【００２６】
底壁８０ａ、一対の側壁８０ｂ及び一対の前後壁８０ｃは、包装用袋１０を折り畳んだ状態における、山折り線１２より下側の周壁部２０と、底部３０とが、折り曲げられて形成されている。
【００２７】
上壁８０ｄは、包装用袋１０を折り畳んだ状態における、山折り線１２より上側の周壁部２０と肩部４０とで構成される部分（以下、上壁形成部１３とする）が、折り曲げられて形成されている。
【００２８】
包装用袋１０を立体形状にして使用する方法について説明する。
【００２９】
図１〜５に示すように、包装用袋１０を折り畳んだ状態から、ファスナー６０を開いて、折り曲げられている山折り線１２部分を押し込んで底部３０を広げるとともに底部３０の左右の側端部３０ａ、３０ｂを上側に折り曲げて、矩形状の底壁形成部３０ｃを形成する。なお、底壁形成部３０ｃは、立体形状となった状態における、収納部８０の矩形状の底壁８０ａとして構成される。
【００３０】
この時、底部３０の左右の側端部３０ａ、３０ｂは、底部３０と周壁部２０の左右それぞれの側端部が重なり合って接着されて一体化されて折り曲げが拘束されることから、三角形状となり、収納部８０の左右の側端部に位置する側壁８０ｂの一部として構成される（以下、側壁形成部３０ｄとする）。
【００３１】
そして、底部３０において、底壁形成部３０ｃ及び側壁形成部３０ｄ以外の三角形状の部分（以下、四隅部３０ｅとする）が生じる。換言すれば、矩形状の底部３０を展開した状態における、矩形状の底壁形成部３０ｃと三角形状の側壁形成部３０ｄとを合わせて形成される六角形状の部分を除いた、底部３０の四隅の角部分の三角形状の部分がそれぞれ四隅部３０ｅとなる。図１であらわすと薄墨部分で示す部分となる。
【００３２】
また、周壁部２０も、底部３０と周壁部２０の左右それぞれの側端部が重なり合って接着されて一体化されて折り曲げが拘束されることから、三角形状の収納部８０の左右の側壁８０ｂとして形成される部分以外の部分（以下、下角部２０ｃとする）が生じる。換言すれば、図１の薄墨部分で示すように、包装用袋１０を折り畳んだ状態における、四隅部３０ｅと重なる左右の端部の下側部分が下角部２０ｃとなる。
【００３３】
下角部２０ｃと四隅部３０ｅとが重ね合わされて、図１の薄墨部分で示すように、包装用袋１０の左右の側端部ごとに三角形状の余りしろ部９０が一対形成される。
【００３４】
側壁形成部３０ｄと、余りしろ部９０で下側が開放した三角錐状の支柱部１００が形成される。なお、側壁形成部３０ｄは、上下方向に対して若干傾斜するように折り曲げられている。
【００３５】
収納部８０の底壁８０ａ及び側壁８０ｂを形成すると、連接する一対の前後壁８０ｃも矩形状に形成される。これにより、包装用袋１０は、自立可能な立体形状となる、
この状態では、図６〜９に示すように、上壁８０ｄは下側が広がるように傾斜している。収納物Ｐを開口部５０から収納部８０に収納して、ファスナー６０を閉じる。
【００３６】
さらに、上側に他の包装用袋１０を積み重ねるときは、上壁８０ｄを構成する周壁部２０の側壁８０ｂ及び前後壁８０ｃを、形成しない上側の部分と肩部４０を下側に押し込んで収納部８０を略箱状に整形し、把持部７０を前側に倒す。
【００３７】
図１０〜１３に示すように、三角錐状の支柱部１００の上端部１００ａに、咬合させて閉じられたファスナー６０を架け渡した後、図１４に示すように、他の包装用袋１０を、上側に積み重ねて陳列する。
【００３８】
包装用袋１０の機能、作用について説明する。
【００３９】
収納部８０の上壁８０ｄを形成する際、上壁形成部１３を下側に押し込むと、接着されていない肩部４０の左右の側端部４０ａ、４０ｂは前後方向に押し広げられて開放され、通気孔４１として機能する。密閉されていると変形させる際に障害となる空気を収納部８０内から排出して、変形しやすくなるので、他の包装用袋１０を上側に重ねて積み重ねることが可能となる。
【００４０】
また、下側が開放した三角錐状の支柱部１００は、力学的に安定した形状であるので、乗せられた包装用袋１０の上下方向の力を受け止めることが可能となる。また、支柱部１００は、周壁部２０と底部３０とが重ね合わされるとともに接着されて強度が高められている部分を有しているので、陳列時の安定性に寄与することになる。
【００４１】
また、咬合型のファスナー６０は、咬み合わされることで断面積が増し剛性が高まるので、支柱部１００の上端部１００ａ間にファスナー６０を架け渡すことで、支柱部１００間にかかる力を受け止め、他の包装用袋１０が載置される際にかかる力を分散させて支柱部１００にかかる負担を軽減させることになる。
【００４２】
上記構成の包装用袋１０では、折り畳んだ状態において平坦となり、収納物Ｐを収納する状態において収納物Ｐを収納する略箱状の収納部８０を有する立体形状となり、自立可能に形成される包装用袋であって、周壁部２０と、周壁部２０の下端に連接される底部３０と、周壁部２０の上端から上方に延設されて、折り畳んだ状態の幅が上方に向かって次第に狭小となる肩部４０と、肩部４０の上端側に設けられて折り畳んだ状態の幅Ｗ１が周壁部２０の幅Ｗ２より狭小となる開口部５０と、を有し、開口部５０を開閉可能とするファスナー６０が、開口部５０に配設され、底部３０がガゼット形状に周壁部２０の内側に折り曲げられて形成され、底部３０の左右の側端部３０ａ、３０ｂは、それぞれ、周壁部２０の左右の側端部２０ａ、２０ｂに接着され、周壁部２０の左右の側端部２０ａ、２０ｂにおいて、底部３０と接着されていない部分は、周壁部２０の前側部１０ａと後側部１０ｂとが接着され、肩部４０の左右の側端部４０ａ、４０ｂにおいて、肩部４０の前側部１０ａと後側部１０ｂとが接着されていない構成としている。
【００４３】
これによれば、前側部１０ａと後側部１０ｂとが接着されていない肩部４０は、通気孔４１として機能し、折り畳んだ状態から立体形状にして、収納物Ｐを収納してファスナー６０を閉じた後に、空気を排出させて周壁部２０及び肩部４０が変形しやすくなるので、収納部８０を箱状に形成することが容易にできる。よって、店頭で陳列する際に、上側に重ねて積み重ねることができる。
【００４４】
さらに、開口部５０の幅Ｗ１を、周壁部２０の幅Ｗ２より狭小に形成することにともない、開口部５０を開閉させるファスナー６０の長さも短くなり、ファスナー６０どうしが干渉することを抑制して、平置き時に包装用袋１０を陳列しやすくすることができる。
【００４５】
また、底部３０は、折り畳んだ状態で周壁部２０と同幅の矩形状に形成され、立体形状となった状態において、底部３０の収納部８０の底壁８０ａ及び左右の側壁８０ｂとして形成される部分以外の四隅部３０ｅが、周壁部２０の下角部２０ｃと重ね合わされることにより、包装用袋１０の左右の側端部ごとに一対形成される三角形状の余りしろ部９０と、底部３０の側壁形成部３０ｄと、で三角錐状の支柱部１００が形成される。
【００４６】
これにより、三角錐状の支柱部１００の上端部１００ａで、他の包装用袋１０が載せられたときにかかる上下方向の力を受け止めることが可能となるので、重量のある収納物Ｐを収納した他の包装用袋１０を載置することが可能となる。また、支柱部１００がフレームとして機能するので収納部８０の形態を安定させることができる。
【００４７】
また、ファスナー６０は、咬合型ファスナーが用いられ、他の包装用袋１０を載置する際に、咬合されたファスナー６０が支柱部１００の上端部１００ａ間に架け渡される構成とすれば、咬み合わされることで断面面積が大きくなり、剛性が高められたファスナー６０を、支柱部１００の上端部１００ａ間に架け渡すことで、他の包装用袋１０が載置される際にかかる力を分散させ、陳列状態を安定させることができる。
【００４８】
また、開口部５０から上方に向かって把持部７０が延設され、把持部７０の左右の側端部７０ａ、７０ｂ及び上端部７０ｃは接着されていない構成とすれば、把持部７０を手で持ってファスナー６０を開くことが可能となるとともに、把持部７０が広く開くので、開口部５０の開き動作をしやすくすることができる。
【００４９】
なお、使用態様によっては、支柱部１００の上端部１００ａのみで、他の包装用袋１０を受け止めて、上側に積み重ねて陳列することも可能である。
【００５０】
また、底部３０に複数の小孔を設けて通気可能とすることもできる。
【００５１】
また、合成樹脂フィルムＦは、収納物Ｐを収納可能であれば、無色透明以外の有色で光を透過させない合成樹脂フィルムを用いることもできる。
【００５２】
また、包装用袋１０の上側に積み重ねられるものは他の包装用袋１０に限られない、既存の包装用袋等を積み重ねてもよい。
【００５３】
また、包装用袋１０は、合成樹脂フィルムで構成されているが、可撓性を有する部材であれば、紙、紙にアルミニウムを蒸着させたもの、合成樹脂にアルミニウムを蒸着させたもの、紙と合成樹脂とを接合させて多層体としたもの等で、構成することができる。
【００５４】
図１５〜２１は、上記実施形態の変形例をあらわす。以下の説明において、上記実施形態と共通する構成については、同一符号を付し説明の全部又は一部を省略する。
【００５５】
図１５〜２１に表わされた、包装用袋１０は、透明な可撓性を有する合成樹脂フィルムＦから形成されているため、全て透明である。したがって、図１５〜１９には、透けて見えるファスナー６０及び底部３０の山折り線１２を実線で図示している。左側面図は右側面図と対称に表れるため省略している。また、図１５の符号Ｓは、シールされている部分を示し、符号Ｋは、シールされている部分とされていない部分との境界線を示す。上述したように、包装用袋１０は、図１５〜２０に示す折り畳んだ状態から、図２１に示すように立体的な状態にされて、ファスナー６０が設けられた開口部５０から、内部に食品等が収納される。また、包装用袋１０は、図２２に示すように、把持部７０を倒すことにより、略直方体状となり、食品等を収納した状態で、上に他の包装用袋１０を積み重ねることができる。
【００５６】
なお、図１５、１６に示す、二点鎖線及び把持部７０の上端を示す実線で囲まれた部分には、印刷により模様若しくは色彩又はこれらの結合が付される場合があり、かかる場合には、ファスナー６０は透けて見えないことになる。
【符号の説明】
【００５７】
１０  包装用袋
１０ａ  前側部
１０ｂ  後側部
２０  周壁部
２０ａ  側端部
２０ｂ  側端部
２０ｃ  下角部
３０  底部
３０ａ  側端部
３０ｂ  側端部
３０ｅ  四隅部
４０  肩部
４０ａ  側端部
４０ｂ  側端部
５０  開口部
６０  ファスナー
７０  把持部
８０  収納部
８０ａ  底壁
８０ｂ  側壁
９０  余りしろ部
１００  支柱部
１００ａ  上端部
Ｐ  収納物
【図１】
2014069808.tif 000003
【図２】
2014069808.tif 000004
【図３】
2014069808.tif 000005
【図４】
2014069808.tif 000006
【図５】
2014069808.tif 000007
【図６】
2014069808.tif 000008
【図７】
2014069808.tif 000009
【図８】
2014069808.tif 000010
【図９】
2014069808.tif 000011
【図１０】
2014069808.tif 000012
【図１１】
2014069808.tif 000013
【図１２】
2014069808.tif 000014
【図１３】
2014069808.tif 000015
【図１４】
2014069808.tif 000016
【図１５】
2014069808.tif 000017
【図１６】
2014069808.tif 000018
【図１７】
2014069808.tif 000019
【図１８】
2014069808.tif 000020
【図１９】
2014069808.tif 000021
【図２０】
2014069808.tif 000022
【図２１】
2014069808.tif 000023
【図２２】
2014069808.tif 000024